(57)【特許請求の範囲】
【請求項１】
少なくとも表示部を有する表示部側筐体と、少なくとも主操作部を有する操作部側筐体とが開閉可能に連結され、前記主操作部は閉状態にて前記表示部側筐体により覆われ且つ開状態にて外側に露出するとともに、前記表示部は閉状態及び開状態のいずれの状態でも外側に露出させることが可能な携帯端末装置であって、該携帯端末装置は、閉状態にて両筐体の互いに対向する面以外の面に補助操作部を備え、閉状態を除き少なくとも開状態のときに前記補助操作部の全部の操作を無効にするようにしたことを特徴とする携帯端末装置。
【請求項２】
前記携帯端末装置は、前記表示部側筐体と前記操作部側筐体との開閉状態を検出する状態検出部と、該状態検出部からの信号に基づいて前記補助操作部の全部の操作の無効化を設定及び解除するロック制御部と、を有することを特徴とする請求項1に記載の携帯端末装置。
【請求項３】
前記ロック制御部は、前記状態検出部により前記表示部側筐体と前記操作部側筐体とが閉状態であるとの信号を得た時、補助操作部の操作の無効化を解除し、かつ、前記状態検出部により前記表示部側筐体と前記操作部側筐体とが閉状態以外であるとの信号を得た時、前記ロック制御部により補助操作部の操作の無効化を設定するようにしたことを特徴とする請求項２に記載の携帯端末装置。
【発明の詳細な説明】
【０００１】
【発明の属する技術分野】
本発明は、携帯電話機やPDA（Personal Digital Assistant）等の携帯端末装置に関し、具体的には、少なくとも表示部を有する表示部側筐体と、少なくとも操作部を有する操作部側筐体とが開閉可能に連結され、表示部が開状態及び閉状態のいずれの状態でも外部に露出する構造を有する携帯端末装置に関する。
【０００２】
【従来の技術】
従来の携帯電話機やPDA等の携帯端末装置では、端末装置を2つの筐体により構成し、携帯時には2つの筐体を重ねて配置するようにしたものがあった。例えば、特許文献１には、表示部とスピーカーとを備えた表示部側筐体と、主操作部とマイクを備えた操作部側筐体とからなり、両筐体は前記主操作部が表示部側筐体により開閉可能に連結され、かつ、前記表示部が開状態及び閉状態のいずれの状態においても常に外側に露出するように構成した携帯端末装置が開示されている。また、この携帯端末装置は、表示部を有する面に補助操作部を備え、この補助操作部により、閉状態においてもメールや電子手帳等のアプリケーションを起動させ、表示部によって閲覧することができるようになっていた。
【０００３】
【特許文献１】
特開2002−135380号公報
【０００４】
【発明が解決しようとする課題】
しかしながら、特開2002−158758号公報に開示された携帯端末装置では、通話のために開状態としてスピーカーを使用者の耳に、マイクを使用者の口元にそれぞれ近づけた際、補助操作部が使用者の顔に接触して他のアプリケーション等が起動し、場合によっては終話させてしまうといった課題があった。
【０００５】
また、補助操作部を表示部側筐体や操作部側筐体の側面に配置することが考えられるが、この場合、通話のために開状態として使用者が操作部側筐体を手で保持した際に、使用者の手が補助操作部に接触して他のアプリケーション等を起動させる等の、誤動作を引き起こすといった課題があった。
さらに、上記いずれの場合においても、開状態から閉状態にする際、及び閉状態から開状態にする際、操作部側筐体を保持している手と異なる手で表示部側筐体を持って開閉させるのであるが、この開閉操作時に補助操作部を誤って押してしまい、誤動作を発生させるといった課題があった。
【０００６】
【課題を解決するための手段】
上記課題を解決するため、本発明は、少なくとも表示部を有する表示部側筐体と、少なくとも主操作部を有する操作部側筐体とが開閉可能に連結され、前記主操作部は閉状態にて前記表示部側筐体により覆われ且つ開状態にて外側に露出するとともに、前記表示部は閉状態及び開状態のいずれの状態でも外側に露出させることが可能な携帯端末装置であって、該携帯端末装置は、閉状態にて両筐体の互いに対向する面以外の面に補助操作部を備え、閉状態を除き少なくとも開状態のときに前記補助操作部の全部の操作を無効にするようにしたことを特徴とする。
【０００７】
また、前記携帯端末装置は、前記表示部側筐体と前記操作部側筐体との開閉状態を検出する状態検出部と、該状態検出部からの信号に基づいて前記補助操作部の全部の操作の無効化を設定及び解除するロック制御部と、を有することを特徴とする。
さらに、前記ロック制御部は、前記状態検出部により前記表示部側筐体と前記操作部側筐体とが閉状態であるとの信号を得た時、補助操作部の操作の無効化を解除し、かつ、前記状態検出部により前記表示部側筐体と前記操作部側筐体とが閉状態以外であるとの信号を得た時、前記ロック制御部により補助操作部の操作の無効化を設定するようにしたことを特徴とする。
【０００８】
【発明の実施の形態】
以下、本発明の実施形態を添付図面を参照にして説明する。
図1(a)は本発明の第一の実施形態である携帯端末装置の閉状態を示す正面図であり、図1(b)は本発明の第一の実施形態である携帯端末装置の閉状態を示す左側面図である。図2(a)は本発明の第一の実施形態である携帯端末装置の開状態を示す正面図であり、図2(b)は本発明の第一の実施形態である携帯端末装置の開状態を示す背面図である。また、図3(a)は本発明の第一の実施形態である携帯端末装置の開状態を示す左側面図である。図3(b)は本発明の第一の実施形態である携帯端末装置の開状態を示す右側面図である。図4は本発明の第一の実施形態である携帯端末装置のブロック図である。図5は本発明の第一の実施形態である携帯端末装置の動作を説明するフローチャートである。
【０００９】
図1ないし図3に示す本発明の携帯端末装置100は、携帯電話機に適用したものであり、101aは表示部側筐体、101bは操作部側筐体、102は主操作部、102aは主操作部102としての選択キー、103は補助操作部、103aは補助操作部103としての3方向レバー、103bは補助操作部103としてのサイドキー、104は連結部、105はアンテナ、106は表示部、107a及び107bはスピーカー、108はマイクである。
【００１０】
この携帯端末装置100は、表示部側筐体101aと操作部側筐体101bとを連結部104によって開閉可能に連結したもので、図1は、表示部側筐体101aを操作部側筐体101bの主操作部102上に重ねた閉状態を示し、この閉状態から連結部104を中心に矢印方向に180°回転させることで、図2に示すような開状態とするようになっている。
【００１１】
また、開状態において、表示部側筐体101aの操作部側筐体101bと反対側の面には、表示部106と2つのスピーカー107a、107bを備え、両スピーカー107a、107bは表示部106を挟んで上下に配置するとともに、操作部側筐体101bの主操作部102を有する面には、マイク108を備えている。
また、開状態において、両筐体101a、101bの互いに対面する面以外の面、図1ないし図3では両筐体101a、101bの側面に補助操作部103を備え、この補助操作部103は、操作部側筐体101bの側面に有する3方向レバー103aと、表示部側筐体101aの側面に有するサイドキー103bとから成る。
【００１２】
また、図3に示すように、開状態になった時、表示部側筐体101aの表示部106を有する面と反対側の面は、操作部側筐体101bの主操作部102を有する面に対して所定の角度θ（0<θ≦70°）で傾斜するようになっている。
以上の構成により、表示部106は閉状態及び開状態のいずれの状態においても常に外側に露出するようになっており、主操作部102は開状態においてのみ露出して操作することができるようになっている。
【００１３】
なお、閉状態とは、表示部側筐体101aと操作部側筐体101bとが重なり合い、表示部側筐体101aが操作部側筐体101bの主操作部102を覆っている状態を言い、開状態とは、表示部側筐体101aが操作部側筐体101bに対して動き、主操作部102を外側に露出させた図２に示す状態を言う。また、本発明は、図1に示す閉状態から表示部側筐体101aが操作部側筐体101bの主操作部102を有する面に対して回動するようなものだけに限らず、図1に示す閉状態から表示部側筐体が操作部側筐体の主操作部を有する面に対してスライドすることで主操作部を外側に露出させるものや、図1に示す閉状態から表示部側筐体を操作部側筐体の主操作部を有する面に対して平行な軸線を中心に回動させることができるとともに、前記軸線に垂直な軸線に対して360°回転させることができ、表示部を常に外側に露出させることができるものにも適用することができる。
【００１４】
ところで、表示部106は、携帯端末装置100に備わる諸機能に関わるメニュー項目、画像ファイルや、アンテナ105が受信した電子メールの内容及び各種設定画面等を表示するようになっている。
主操作部102は文字や数字が印刷されたキー群であり、発呼、通話中の終話、電話番号の入力、メールの文章作成、表示部106に表示されたメニュー項目の選択及び決定等、種々の機能に対応した操作を行うのに使用する。主操作部102の中で選択キー102aは特に、上下左右の操作及び押込み操作が可能であり、表示部106に表示されたメニュー項目を上下左右の操作で選択し、押込み操作によって決定することができ、また、送受信メール表示画面を上下の操作によりスクロールさせたりすることができるようになっている。
【００１５】
補助操作部103は3方向レバー103aとサイドキー103bとから成り、この内、3方向レバー103aは上下の操作及び押込み操作が可能で、表示部106に表示されたメニュー項目を上下の操作で選択し、押込み操作によって決定することができ、また、送受信メール表示画面を上下の操作によりスクロールさせたりすることができるようになっており、また、サイドキー103bは押込操作が可能で、この押込操作によってアプリケーションを起動したり、通話中に終話したりすることができるようになっている。
【００１６】
スピーカー107a及び107bは、通話時に通話相手の音声を放音するものであり、開閉状態に応じて両スピーカー107a、107bの動作が切り替わる。すなわち、閉状態においては、スピーカー107bは不動作としてスピーカー107aのみを動作させ、開状態においては、スピーカー107aは不動作としてスピーカー107bのみを動作させるようになっている。
マイク108は、通話時に使用者の音声を集音するものであり、閉状態においては、マイク108はスピーカー107bによって覆われることになるが、マイク108の集音率を上げることで、十分に集音することができるようになっている。
【００１７】
次に、図4に示すブロック図を基に、携帯端末装置100の内部構成について説明する。4は制御部であり携帯端末100全体の制御を行う。2は無線部であり、アンテナ105と制御部4との間で送受信電波の受け渡しを行う。3は状態検出部であり、連結部104の回転を検知することで閉状態であるか又は開状態であるかを検出する。4aはロック制御部であり、補助操作部103の操作の無効化を設定及び解除する。
【００１８】
そして、本発明の携帯端末100によれば、開状態においては、主操作部102が露出し操作可能となるため、表示部106に表示された表示内容に応じた操作を主操作部102によって行うことができ、また、スピーカー107bとマイク108とを用いた通話も可能であり、また、閉状態においては、主操作部102が表示部側筐体101aによって覆われて操作できなくなるため、主操作部102の代わりに補助操作部103を用いて、表示部106に表示された表示内容に応じた操作を行うことができ、また、スピーカー107aとマイク108とを用いた通話も可能である。
【００１９】
次に、本発明の携帯端末装置100における補助操作部103の操作無効化の設定及び解除に係る動作について、図5を基に説明する。
まず、S501で携帯端末装置100が開状態にあるのか開状態以外の状態であるのかを判断する。携帯端末装置100が完全に開いた状態であると、状態検出部3が開状態であることを検出して制御部4に信号を送り、ロック制御部4aが補助操作部103の電気的接続を遮断して、操作を無効化する（S502）。その後、連結部104の回動が行われなければ、補助操作部103は、操作が無効になったまま保持されるが、連結部104の回動が行われると、状態検出部3が開状態以外の状態であることを検出して制御部4に信号を送り（S503）、ロック制御部4aが補助操作部103の電気的接続を行い、操作を有効化する（S504）。
【００２０】
また、S501において開状態以外の状態、すなわち、閉状態又は回動中であると判断されると、ロック制御部4aが補助操作部103の電気的接続を行い、操作を有効化する（S504）。
このように、閉状態及び回動中は補助操作部103の操作を有効化し、開状態の場合は補助操作部103の操作を無効化するようにしたことによって、通話のために開状態とした状態で使用者が操作部側筐体101bを手で保持した時、誤って補助操作部103を押下しても、誤動作を起こすことを防止することができる。
【００２１】
次に、第二の実施形態として、閉状態の場合のみ補助操作部103の操作を有効化し、開状態及び筐体の回動中は補助操作部103の操作を無効化するようにしても良い。
図6は本発明の第二の実施形態である携帯端末装置100の動作を説明するフローチャートである。
【００２２】
まずS601で携帯電話装置100が閉状態にあるのか閉状態以外の状態にあるのかを判断する。携帯電話装置100が完全に閉じた状態であると、状態検出部3が閉状態であることを検出して制御部4に信号を送り、ロック制御部4aが補助操作部103の電気接続を行い、操作を有効化する（S602）。その後、連結部104の回動が行われなければ、補助操作部103は操作が有効になったまま保持されるが、連結部104の回動が行われると、状態検出部3が閉状態以外の状態であることを検出して制御部4に信号を送り（S603）、ロック制御部4aが補助操作部103の電気的接続を遮断し、操作を無効化する（S604）。
【００２３】
また、S601において閉状態以外、すなわち、開状態又は筐体の回動中であると判断されると、ロック制御部4aが補助操作部103の電気的接続を遮断し、操作を無効化する（S604）。
このように、閉状態でのみ補助操作部103の操作を有効化し、開状態及び回動中は常に補助操作部103の操作を無効化するようにしたことによって、通話のために開状態とした状態で使用者が操作部側筐体101bを手で保持した時、誤って補助操作部103を押下しても、誤動作を起こすことを防止することができるとともに、さらに、使用者が手で筐体の開閉操作を行う際、誤って補助操作部103を押下して誤動作を起こすことを効果的に防止することができる。
【００２４】
以上、本実施形態では3方向レバー103aとサイドキー103bの両方の操作を無効にするようにした例を示したが、どちらか一方のみ操作の無効化を設定及び解除するようにしても良い。
さらに、本実施形態では携帯電話機を例にとって説明したが、この他、PDA等の他の携帯端末装置にも適用できることは言うまでもない。
【００２５】
【発明の効果】
以上のように、本発明の携帯端末装置によれば、開状態の場合に補助操作部の操作を無効化することで、通話のために開状態として使用者が筐体を手で保持した時、誤って補助操作部を押下して誤動作を起こすことを防止することができる。また、閉状態以外の状態の場合に補助操作部の操作を無効化することで、使用者が手で筐体の開閉操作を行う際に、誤って補助操作部を押下して誤動作になるということを防ぐこともできる。すなわち、誤動作の発生を解消し、操作性を向上させることができる。
【図面の簡単な説明】
【図１】本発明の第一の実施形態である携帯端末装置の閉状態を示す図。
【図２】本発明の第一の実施形態である携帯端末装置の開状態を示す図。
【図３】本発明の第一の実施形態である携帯端末装置の開状態を示す側面図。
【図４】本発明の第一の実施形態である携帯端末装置の機能ブロック図。
【図５】本発明の第一の実施形態である携帯端末装置の動作を説明するフローチャート。
【図６】本発明の第二の実施形態である携帯端末装置の動作を説明するフローチャート。
【符号の説明】
３        状態検出部
４        制御部
４ａ      ロック制御部
１００    携帯端末装置
１０１ａ  表示部側筐体
１０１ｂ  操作部側筐体
１０６    表示部
１０２    主操作部
１０３    補助操作部
１０４    連結部
【図１】
0003961397.tif 000002
【図２】
0003961397.tif 000003
【図３】
0003961397.tif 000004
【図４】
0003961397.tif 000005
【図５】
0003961397.tif 000006
【図６】
0003961397.tif 000007